【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
開閉式の筐体を有する移動無線端末装置において、
前記筐体の開閉状態を検出する開閉検出手段と、
当該移動無線端末装置が発信動作中であるか否かを判定する判定手段と、
報知音を拡声出力する拡声手段と、
この拡声手段から拡声出力される報知音の音量を制御するものであって、前記報知音を拡声出力する場合に、前記開閉検出手段が閉じた状態にあることを検出した場合には、前記音量を第１の音量に制御し、また前記開閉検出手段が開いた状態にあることを検出し、かつ前記判定手段が発信動作中でないと判定した場合には、前記音量を前記第１の音量よりも小さい第２の音量に制御し、そして前記開閉検出手段が開いた状態にあることを検出し、かつ前記判定手段が発信動作中であると判定した場合には、前記音量を前記第２の音量よりも小さい第３の音量に制御する音量制御手段とを具備することを特徴とする移動無線端末装置。
【請求項２】
開閉式の筐体を有する移動無線端末装置において、
利用者から発信の要求を受け付ける受付手段と、
この受付手段が要求を受け付けてからの経過時間を計測する計測手段と、
前記筐体の開閉状態を検出する開閉検出手段と、
報知音を拡声出力する拡声手段と、
この拡声手段から拡声出力される報知音の音量を制御するものであって、前記報知音を拡声出力する場合に、前記開閉検出手段が閉じた状態にあることを検出した場合には、前記音量を第１の音量に制御し、また前記開閉検出手段が開いた状態にあることを検出し、かつ前記計測手段が計測した経過時間が予め設定した時間を経過した場合には、前記音量を前記第１の音量よりも小さい第２の音量に制御し、そして前記開閉検出手段が開いた状態にあることを検出し、かつ前記計測手段が計測した経過時間が予め設定した時間を経過していない場合には、前記音量を前記第２の音量よりも小さい第３の音量に制御する音量制御手段とを具備することを特徴とする移動無線端末装置。
【請求項３】
開閉式の筐体を有する移動無線端末装置において、
前記筐体の開閉状態を検出する開閉検出手段と、
当該移動無線端末装置が発信動作が終了したか否かを判定する判定手段と、
報知音を拡声出力する拡声手段と、
この拡声手段から拡声出力される報知音の音量を制御するものであって、前記報知音を拡声出力する場合に、前記開閉検出手段が閉じた状態にあることを検出した場合には、前記音量を第１の音量に制御し、また前記開閉検出手段が開いた状態にあることを検出し、かつ前記判定手段が発信動作が終了していないと判定した場合には、前記音量を前記第１の音量よりも小さい第２の音量に制御し、そして前記開閉検出手段が開いた状態にあることを検出し、かつ前記判定手段が発信動作が終了したと判定した場合には、前記音量を前記第２の音量よりも小さい第３の音量に制御する音量制御手段とを具備することを特徴とする移動無線端末装置。
【請求項４】
開閉式の筐体を有する移動無線端末装置において、
音声データを再生し拡声出力する音声出力手段と、
この音声出力手段が再生中であるか否かを判定する判定手段と、
前記筐体の開閉状態を検出する開閉検出手段と、
報知音を拡声出力する拡声手段と、
この拡声手段から拡声出力される報知音の音量を制御するものであって、前記報知音を拡声出力する場合に、前記開閉検出手段が閉じた状態にあることを検出した場合には、前記音量を第１の音量に制御し、また前記開閉検出手段が開いた状態にあることを検出し、かつ前記判定手段が再生中でないと判定した場合には、前記音量を前記第１の音量よりも小さい第２の音量に制御し、そして前記開閉検出手段が開いた状態にあることを検出し、かつ前記判定手段が再生中であると判定した場合には、前記音量を前記第２の音量よりも小さい第３の音量に制御する音量制御手段とを具備することを特徴とする移動無線端末装置。
【請求項５】
開閉式の筐体を有する移動無線端末装置において、
前記筐体の開閉状態を検出する開閉検出手段と、
電話帳データを呼び出し中であるか否かを判定する判定手段と、
報知音を拡声出力する拡声手段と、
この拡声手段から拡声出力される報知音の音量を制御するものであって、前記報知音を拡声出力する場合に、前記開閉検出手段が閉じた状態にあることを検出した場合には、前記音量を第１の音量に制御し、また前記開閉検出手段が開いた状態にあることを検出し、かつ前記判定手段が電話帳データの呼び出し中でないと判定した場合には、前記音量を前記第１の音量よりも小さい第２の音量に制御し、そして前記開閉検出手段が開いた状態にあることを検出し、かつ前記判定手段が電話帳データの呼び出し中であると判定した場合には、前記音量を前記第２の音量よりも小さい第３の音量に制御する音量制御手段とを具備することを特徴とする移動無線端末装置。
【請求項６】
移動無線端末装置が発信動作中であるか否かを判定する判定手段と、
報知音を拡声出力する拡声手段と、
この拡声手段から拡声出力される報知音の音量を制御するものであって、前記報知音を拡声出力する場合に、前記判定手段が発信動作中でないと判定した場合には、前記音量を前記第１の音量に制御し、そして前記判定手段が発信動作中であると判定した場合には、前記音量を前記第１の音量よりも小さい第２の音量に制御する音量制御手段とを具備することを特徴とする移動無線端末装置。
【請求項７】
利用者から発信の要求を受け付ける受付手段と、
この受付手段が要求を受け付けてからの経過時間を計測する計測手段と、
報知音を拡声出力する拡声手段と、
この拡声手段から拡声出力される報知音の音量を制御するものであって、前記報知音を拡声出力する場合に、前記計測手段が計測した経過時間が予め設定した時間を経過した場合には、前記音量を前記第１の音量に制御し、そして前記計測手段が計測した経過時間が予め設定した時間を経過していない場合には、前記音量を前記第１の音量よりも小さい第２の音量に制御する音量制御手段とを具備することを特徴とする移動無線端末装置。
【請求項８】
移動無線端末装置が発信動作が終了したか否かを判定する判定手段と、
報知音を拡声出力する拡声手段と、
この拡声手段から拡声出力される報知音の音量を制御するものであって、前記報知音を拡声出力する場合に、前記判定手段が発信動作が終了していないと判定した場合には、前記音量を前記第１の音量に制御し、そして前記判定手段が発信動作が終了したと判定した場合には、前記音量を前記第１の音量よりも小さい第２の音量に制御する音量制御手段とを具備することを特徴とする移動無線端末装置。
【請求項９】
音声データを再生し拡声出力する音声出力手段と、
この音声出力手段が再生中であるか否かを判定する判定手段と、
報知音を拡声出力する拡声手段と、
この拡声手段から拡声出力される報知音の音量を制御するものであって、前記報知音を拡声出力する場合に、前記判定手段が再生中でないと判定した場合には、前記音量を前記第１の音量に制御し、そして前記判定手段が再生中であると判定した場合には、前記音量を前記第１の音量よりも小さい第２の音量に制御する音量制御手段とを具備することを特徴とする移動無線端末装置。
【請求項１０】
電話帳データを呼び出し中であるか否かを判定する判定手段と、
報知音を拡声出力する拡声手段と、
この拡声手段から拡声出力される報知音の音量を制御するものであって、前記報知音を拡声出力する場合に、前記判定手段が電話帳データの呼び出し中でないと判定した場合には、前記音量を前記第１の音量に制御し、そして前記判定手段が電話帳データの呼び出し中であると判定した場合には、前記音量を前記第１の音量よりも小さい第２の音量に制御する音量制御手段とを具備することを特徴とする移動無線端末装置。
【手続補正２】
【補正対象書類名】明細書
【補正対象項目名】０００７
【補正方法】変更
【補正の内容】
【０００７】
この発明は上記の問題を解決すべくなされたもので、報知音量が可変される場合でも、ユーザが報知音の発生を認識しやすく、必要な機会を失う虞の少ない移動無線端末装置を提供することを目的とする。
【手続補正３】
【補正対象書類名】明細書
【補正対象項目名】０００８
【補正方法】変更
【補正の内容】
【０００８】
上記の目的を達成するために、この発明は、移動無線端末装置が発信動作中であるか否かを判定する判定手段と、報知音を拡声出力する拡声手段と、この拡声手段から拡声出力される報知音の音量を制御するものであって、報知音を拡声出力する場合に、判定手段が発信動作中でないと判定した場合には、音量を前記第１の音量に制御し、そして判定手段が発信動作中であると判定した場合には、音量を前記第１の音量よりも小さい第２の音量に制御する音量制御手段とを具備して構成するようにした。
【手続補正４】
【補正対象書類名】明細書
【補正対象項目名】０００９
【補正方法】変更
【補正の内容】
【０００９】
この発明によれば、報知音量が可変される場合でも、ユーザが報知音の発生を認識しやすく、必要な機会を失う虞の少ない移動無線端末装置を提供できる。